(57)【要約】【課題】  モジュラープラグを小型に維持しつつ、抜け止め用レバーの破損を防止し、モジュラープラグの引き抜き性を向上させる。【解決手段】  ケーブル４の端部に固着され、装置７に装着されたときに、装置７とケーブル４とを電気的に接続する本体２と、本体２の装置７からの脱落を防止するための固定用爪３ｃを有する弾性変形可能なレバー３とを備えたモジュラープラグ１において、本体２とレバー３とを、プラグ１のケーブル接続側に設けた固定部３ａを介して一体とした。レバー３のケーブル側に突出部３ｄを設け、装置７内に本体２全体が収納されるタイプであっても、プラグ１を大型化することなく、突出部３ｄを押すことにより、容易に固定用爪３ｃの係合を解除することができる。ケーブル４接続側とは逆のレバー３の端部を本体２に摺動可能とし、装置７に装着したときに、この端部が装置７に当接することが好適である。【選択図】  図１
2006172826.tif 000002
【特許請求の範囲】
【請求項１】
ケーブルの端部に固着され、装置に装着されたときに、該装置とケーブルとを電気的に接続する本体と、該本体の前記装置からの脱落を防止するための固定用爪を有する弾性変形可能なレバーとを備えたモジュラープラグにおいて、
前記本体と前記レバーとを、該モジュラープラグのケーブル接続側に設けた固定部を介して一体としたことを特徴とするモジュラープラグ。
【請求項２】
前記レバーは、前記ケーブル側に突出する突出部を備えることを特徴とする請求項１に記載のモジュラープラグ。
【請求項３】
前記レバーの前記突出部は、前記本体と前記レバーとの固定部から、前記ケーブル側に突出することを特徴とする請求項２に記載のモジュラープラグ。
【請求項４】
前記本体は、該モジュラープラグの前記ケーブル接続側とは反対側に位置する、前記レバーの可動部を、該可動部の移動方向に対して垂直な方向から覆う保護部を備えることを特徴とする請求項１、２又は３に記載のモジュラープラグ。
【請求項５】
該モジュラープラグの前記ケーブル接続側とは反対側に位置する、前記レバーの端部を、前記本体に摺動可能としたことを特徴とする請求項１乃至４のいずれかに記載のモジュラープラグ。
【請求項６】
該モジュラープラグが前記装置に装着されたときに、該モジュラープラグの前記ケーブル接続側とは反対側に位置する、前記レバーの前記端部が、前記装置に当接することを特徴とする請求項１乃至５のいずれかに記載のモジュラープラグ。
【発明の詳細な説明】
【技術分野】
【０００１】
本発明は、モジュラープラグに関し、特に、ローカルエリアネットワーク内の電子機器の配線や、宅内の電話配線等に用いられるモジュラープラグに関する。
【背景技術】
【０００２】
ローカルエリアネットワーク内の電子機器等の配線には、一般的に、電子機器に接続されるケーブルの先端にモジュラープラグが固着され、モジュラープラグには、電子機器からケーブルが抜けるのを防止するための機能が備えられている。このようなモジュラープラグは、例えば、図８に示すように、本体４２に、ケーブル４４の抜けを防止するための固定用爪４３ａを有する弾性変形可能なレバー４３が一体化され、レバー４３を操作することにより、本体４２を介してケーブル４４を電子機器に挿抜する。
【０００３】
しかし、このような構成を有するモジュラープラグ４１では、本体４２からレバー４３が傾斜して突出しているため、図９に示すように、特に本体４２を電子機器から取り外すときに、本体４２とレバー４３との間に障害物４６が引っ掛かり、レバー４３が破損するという問題があった。
【０００４】
また、図１０に示すように、モジュラープラグ４１を装着する電子機器４７が、本体４２全体を収納するように構成されている場合には、モジュラープラグ４１を電子機器４７に装着したときには、本体４２全体を電子機器４７内に収納し、レバー４３の開放端部のみが電子機器４７から突出しているに過ぎないため、ケーブル４４を取り外す際に、レバー４３を押し下げるとともに、本体４２ではなく、ケーブル４４をつかんで取り外さざるを得ず、モジュラープラグ４１とケーブル４４の接触不良を引き起こす要因ともなっていた。
【０００５】
そこで、上記問題点に鑑み、例えば、特許文献１に記載のモジュラープラグでは、図１１に示すように、モジュラープラグ５１のレバー５３の形状を、中央部５３ａを曲折させたくの字状（弓形状）とすることにより、電子機器からケーブル５４を取り外す際に、図１２に示すように、レバー５３に障害物５７が衝突した場合でも、障害物５７がレバー５３に引っ掛かることもなく、レバー５３の破損を防止することができる。
【０００６】
【特許文献１】特開平１１−４０２４９号公報
【発明の開示】
【発明が解決しようとする課題】
【０００７】
しかし、上記特許文献１に記載のモジュラープラグ５１においては、くの字状のなだらかな曲折部をレバー５３の中央部５３ａに形成しているため、ケーブル５４を引っ張った際の障害物５７によるレバー５３の破損を防止することは可能であるが、電子機器からケーブル５４を取り外す際に、モジュラープラグ５１のレバー５３の中央部５３ａを本体５２の方向に押下する必要がある。そのため、図１３に示すように、電子機器５８にモジュラープラグ５１を差し込んだ後、電子機器５８からモジュラープラグ５１を引き抜くためには、モジュラープラグ５１のレバー５３の中央部５３ａまでを電子機器５８から突出させる必要がある。これによって、モジュラープラグ５１が大型化するとともに、電子機器５８の構造や用途によって、特に本体５２全体を電子機器５８内に収納する形式のものについては、図１４に示すように、レバー５３全体が電子機器５８に収納され、モジュラープラグ５１を引き抜くことができなくなるという問題がある。
【０００８】
そこで、本発明は、上記従来のモジュラープラグにおける問題点に鑑みてなされたものであって、モジュラープラグを小型に維持しながら、モジュラープラグの抜け止め用レバーの破損を防止するとともに、モジュラープラグの引き抜き性を向上させることを目的とする。
【課題を解決するための手段】
【０００９】
上記目的を達成するため、本発明は、ケーブルの端部に固着され、装置に装着されたときに、該装置とケーブルとを電気的に接続する本体と、該本体の前記装置からの脱落を防止するための固定用爪を有する弾性変形可能なレバーとを備えたモジュラープラグにおいて、前記本体と前記レバーとを、該モジュラープラグのケーブル接続側に設けた固定部を介して一体としたことを特徴とする。
【００１０】
そして、本発明によれば、レバーを、該モジュラープラグのケーブル接続側に設けた固定部を介して本体に一体としているため、装置との固定用爪の解除操作が従来のレバーを押し下げる操作と、ケーブル側の固定部分よりレバーを装置側に押す操作でも固定用爪の解除が可能となる。これによって、モジュラープラグを小型に維持しながら、モジュラープラグ及びケーブルを装置から引き抜く際に、モジュラープラグのレバーに障害物が衝突した場合でも、レバーの破損を防止することができる。
【００１１】
また、本体とレバーとの接続固定部をモジュラープラグのケーブル接続側に設けたことにより、本体とレバー上部との間の最長距離を、モジュラープラグの装置への挿入時に固定用爪が装置側で固定される高さ以上とすることが不要となり、モジュラープラグの大型化を回避することができる。
【００１２】
前記モジュラープラグにおいて、前記レバーを、前記ケーブル側に突出する突出部を備えるように構成することができる。これによって、装置内に本体全体が収納されてしまうタイプの装置であっても、レバーの突出部を押すことにより、容易に固定用爪の解除を行うことができる。
【００１３】
また、前記モジュラープラグにおいて、前記レバーの前記突出部を、前記本体と前記レバーとの固定部から、前記ケーブル側に突出するように構成することができる。これによって、レバーの突出部を引き上げることにより、容易に固定用爪の解除を行うことができる。
【００１４】
さらに、前記モジュラープラグにおいて、前記本体を、該モジュラープラグの前記ケーブル接続側とは反対側に位置する、前記レバーの可動部を、該可動部の移動方向に対して垂直な方向から覆う保護部を備えるように構成することができる。これによって、レバーの延設方向に対して垂直な方向からの外力によって発生するレバーの損傷を防止することも可能となる。
【００１５】
また、前記モジュラープラグにおいて、該モジュラープラグの前記ケーブル接続側とは反対側に位置する、前記レバーの端部を、前記本体に摺動可能とすることができる。
【００１６】
さらに、該モジュラープラグが前記装置に装着されたときに、該モジュラープラグの前記ケーブル接続側とは反対側に位置する、前記レバーの前記端部が、前記装置に当接するように構成することができる。これによって、装置からモジュラープラグを引き抜く際に、本体が装置から押し出され、取り外しを容易に行うことができ、ケーブルとモジュラープラグの接触不良の原因となる行為を防止することもできる。
【発明の効果】
【００１７】
以上のように、本発明によれば、モジュラープラグを小型に維持しながら、モジュラープラグの抜け止め用レバーの破損を防止するとともに、モジュラープラグの引き抜き性を向上させることが可能となる。
【発明を実施するための最良の形態】
【００１８】
図１及び図２は、本発明にかかるモジュラープラグの一実施の形態を示し、このモジュラープラグ１は、大別して、ケーブル４の端部に固着され、電子機器等の装置（以下、「電子機器」という）に装着されたときに、電子機器とケーブルとを電気的に接続する本体２と、本体２の脱落を防止するための固定用爪３ｃ等を有する弾性変形可能なレバー３とで構成される。
【００１９】
本体２は、ケーブル４の先端部に固着され、図示しない電子機器との接続を行う差込部５を備えるとともに、本体２のケーブル４側の端部には、レバー３が一体に取り付けられる。
【００２０】
レバー３は、本体２のケーブル接続側に固定部３ａを介して固定され、差込部５側は、可動部３ｂとして本体２には固定されず、摺動可能に構成される。また、レバー３は、弾性変形可能であり、固定用爪３ｃの部分が最も本体２より離れている。固定用爪３ｃは、電子機器に挿入された際には、モジュラープラグ１が抜け落ちないように、電子機器とモジュラープラグ１をロックするものである。突出部３ｄは、モジュラープラグ１の構造や装着する電子機器、その用途によっては設けない場合もある。突出部３ｄは、電子機器内にモジュラープラグ１の本体２のすべてが収納される場合に必要となる。
【００２１】
モジュラープラグ１は、レバー３の突出部３ｄ又は固定部３ａに近い部分を押すことにより、レバー３の可動部３ｂが前方にスライドし、固定用爪３ｃの位置が下がり、固定用爪３ｃによるロックを解除するように構成される。
【００２２】
次に、上記構成を有するモジュラープラグ１の動作について説明する。
【００２３】
まず、モジュラープラグ１に障害物が引っ掛かった場合について、図３を参照しながら説明する。上述のように、モジュラープラグ１は、レバー３を本体２のケーブル接続側に固定し、かつレバー３の取り付け傾斜方向がモジュラープラグ１の差込部５に向けて固定部３ａを介して取り付けられている。そのため、障害物６がレバー３に衝突した場合でも、障害物６の位置がレバー部３の固定部３ａに近いこと、及びレバー３の取り付け傾斜方向と同じ方向に、障害物６による衝撃が加わるため、レバー３の損傷を軽減することができる。また、突出部３ｄを曲線的に形成し、障害物６が滑り易くすることで、障害物６による衝撃を軽減することができる。
【００２４】
次に、電子機器に装着したモジュラープラグ１を取り外す場合の動作について図４及び図５を用いて説明する。
【００２５】
図４は、モジュラープラグ１の本体２全体が収納されるタイプの電子機器７に、モジュラープラグ１が装着された場合を示す。この場合には、本体２のすべてが電子機器７内に収容されるため、電子機器７からは、突出部３ｄのみが突出している。モジュラープラグ１を電子機器７から取り外すには、図５に示すように、電子機器７から突出している突出部３ｄを電子機器７の方向に向かって押す。突出部３ｄが押されることによって、レバー３が差込部５の方向に伸長し、レバー３の固定用爪３ｃが電子機器７のロックから解除される。この際、可動部３ｂが電子機器７側に接触して装着されているため、この可動部３ｂにより、本体２が電子機器７の外側に押し出され、突出部３ｄを押しながら本体２をつかんでモジュラープラグ１を電子機器７から取り外すことができる。
【００２６】
上記構成により、従来のように、レバー３を押下しながらケーブル４をつかんでモジュラープラグ１を取り外すことがなくなり、モジュラープラグ１とケーブル４との接触不良等の発生を防止することができる。尚、上記説明は、モジュラープラグ１の本体２が電子機器７の内部にすべて収納されてしまうタイプのものに関し、モジュラープラグ１の本体２が電子機器７から突出しているタイプについては、突出部３ｄを使用しなくとも、レバー３を押下することでモジュラープラグ１を引き抜くことができる。
【００２７】
図６は、本発明にかかるモジュラープラグのもう一つの実施の形態を示し、このモジュラープラグ１１は、基本的な構成はモジュラープラグ１と同様であるが、さらに、レバー１３の破損を防ぐため、レバー１３の可動部１３ｂを両側から覆うための保護部１６が本体２に一体化されている。これによって、モジュラープラグ１の横方向からの外力によって発生するレバー３の損傷を防止することが可能となる。
【００２８】
図７は、本発明にかかるモジュラープラグのもう一つの実施の形態を示し、このモジュラープラグ２１は、基本的な構成はモジュラープラグ１と同様であるが、レバー２３の突出部２３ｄの形状がモジュラープラグ１とは異なり、突出部２３ｄの下部が、固定部２３ａから、ケーブル２４側及び下方に向かって突出している。そして、この突出部２３ｄの下端部を上方に押し上げることによって、可動部２３ｂを前方にスライドさせ、モジュラープラグ２１を電子機器から取り外すことができる。
【図面の簡単な説明】
【００２９】
【図１】本発明にかかるモジュラープラグの一実施の形態を示す側面図であって、レバー操作前の状態を示す。
【図２】図１のモジュラープラグのレバー操作後の状態を示す側面図である。
【図３】図１のモジュラープラグのレバーに障害物が衝突した状態を示す側面図である。
【図４】図１のモジュラープラグを電子機器に装着した状態を示す側断面図である。
【図５】図１のモジュラープラグを電子機器から取り外す時の状態を示す側断面図である。
【図６】本発明のモジュラープラグの他の実施の形態を示す側面図である。
【図７】本発明のモジュラープラグの他の実施の形態を示す側面図である。
【図８】従来の一般的なモジュラープラグを示す側面図である。
【図９】図８のモジュラープラグのレバーに障害物が衝突した状態を示す側面図である。
【図１０】図８のモジュラープラグを電子機器に装着した状態を示す側断面図である。
【図１１】従来のモジュラープラグの他の例を示す側面図である。
【図１２】図１１のモジュラープラグのレバーに障害物が衝突した状態を示す側面図である。
【図１３】図１１のモジュラープラグを電子機器に装着した状態の一例を示す側断面図である。
【図１４】図１１のモジュラープラグを電子機器に装着した状態の他の例を示す側断面図である。
【符号の説明】
【００３０】
１      モジュラープラグ
２      本体
３      レバー
３ａ    固定部
３ｂ    可動部
３ｃ    固定用爪
３ｄ    突出部
４      ケーブル
５      差込部
６      障害物
７      電子機器
１１    モジュラープラグ
１２    本体
１３    レバー
１３ａ  固定部
１３ｂ  可動部
１３ｃ  固定用爪
１３ｄ  突出部
１４    ケーブル
１５    差込部
１６    保護部
２１    モジュラープラグ
２２    本体
２３    レバー
２３ａ  固定部
２３ｂ  可動部
２３ｃ  固定用爪
２３ｄ  突出部
２４    ケーブル
２５    差込部
【図１】
2006172826.tif 000003
【図２】
2006172826.tif 000004
【図３】
2006172826.tif 000005
【図４】
2006172826.tif 000006
【図５】
2006172826.tif 000007
【図６】
2006172826.tif 000008
【図７】
2006172826.tif 000009
【図８】
2006172826.tif 000010
【図９】
2006172826.tif 000011
【図１０】
2006172826.tif 000012
【図１１】
2006172826.tif 000013
【図１２】
2006172826.tif 000014
【図１３】
2006172826.tif 000015
【図１４】
2006172826.tif 000016